(57)【要約】【課題】  棚板部やスライド体があってもコンパクトに折り畳むことができる陳列棚を提供する。【解決手段】  本体の対向する側面に山折り部と谷折り部を設けて、本体を折り畳んだときに、その内側に棚板部とスライド体又は棚板部のみが収まる収容空間が形成され、その収容空間内に棚板部とスライド体又は棚板部のみが収まるようにした。収容空間は、例えば、右側面部の谷折り部と山折り部の間の面、右側面部の山折り部と右前コーナー部の間の面、右前コーナー部と左前コーナー部の間の面、左前コーナー部と左側面部の山折り部の間の面、及び左側面部の山折り部と谷折り部の間の面の内側に形成されるようにすることができる。山折り部と谷折り部は平行又は略平行に設けることができる。【選択図】図１
2018186898.tif 000002
【特許請求の範囲】
【請求項１】
少なくとも正面部、右側面部、背面部及び左側面部を含む複数面で囲われて中空状に形成された本体に、一又は二以上の折り畳み可能な棚板部が設けられた陳列棚において、
前記本体の対向する右側面部と左側面部の双方に谷折り部及び山折り部が設けられ、
前記両側面部を谷折り部で谷折りし、山折り部で山折りすることによって、前記中空状の本体の内側に折り畳まれた状態の棚板部が収まる収容空間が形成される、
ことを特徴とする陳列棚。
【請求項２】
請求項１記載の陳列棚において、
収容空間が、右側面部の谷折り部と山折り部の間の面、右側面部の山折り部と右前コーナー部の間の面、右前コーナー部と左前コーナー部の間の面、左前コーナー部と左側面部の山折り部の間の面、及び左側面部の山折り部と谷折り部の間の面の内側、又は、右側面部の谷折り部と山折り部の間の面、右側面部の山折り部と右後コーナー部の間の面、右後コーナー部と左後コーナー部の間の面、左後コーナー部と左側面部の山折り部の間の面、及び左側面部の山折り部と谷折り部の間の面の内側、に形成される、
ことを特徴とする陳列棚。
【請求項３】
請求項１又は請求項２記載の陳列棚において、
右側面部に設けられた谷折り部と山折り部が平行又は略平行であり、
左側面部に設けられた谷折り部と山折り部が平行又は略平行である、
ことを特徴とする陳列棚。
【請求項４】
請求項１から請求項３のいずれか１項に記載の陳列棚において、
中空状の本体の内側に上下方向にスライド可能なスライド体が配置され、
前記スライド体は所定位置で前記本体に固定可能であり、
棚板部の一部が前記スライド体に固定され、
前記棚板部はスライド体を上下方向の一方にスライドさせることによって折り畳み可能であり、スライド体を他方にスライドさせることで物品を載置可能な状態に展開可能であり、
前記折り畳まれた棚板部及び棚板部の動きに連動して移動するスライド体は、谷折り部を谷折りし、山折り部を山折りすることによって本体の内側に形成される収容空間に収まる、
ことを特徴とする陳列棚。
【請求項５】
請求項１から請求項３のいずれか１項に記載の陳列棚において、
本体の背面部に棚板係止孔が設けられ、
棚板部は前記棚板係止孔に係止可能な棚板係止片を備え、
前記棚板部は前記棚板係止孔に前記棚板係止片を係止することによって物品を載置可能な状態に展開可能であり、棚板係止片の棚板係止孔への係止を解除することによって折り畳み可能であり、
前記折り畳まれた棚板部は、谷折り部を谷折りし、山折り部を山折りすることによって本体の内側に形成される収容空間に収まる、
ことを特徴とする陳列棚。
【発明の詳細な説明】
【技術分野】
【０００１】
本発明は、化粧品や飲食物といった各種商品（物品）の陳列や展示に用いる折り畳み式の陳列棚に関する。
【背景技術】
【０００２】
化粧品や飲食物といった各種商品の陳列や展示には、商品ディスプレイやＰＯＰディスプレイと呼ばれる折り畳み式の陳列棚が用いられている。折り畳み式の陳列棚は、段ボールやボール紙（例えばコートボール紙。以下同じ。）、プラスチック段ボールといった折り曲げ（曲げ加工）可能な素材で構成される。
【０００３】
前記陳列棚は、使用時には立体的に組み立てて用いられるが、納品時など、不使用時にはできるだけコンパクトに折り畳めることが望まれている。これは、運搬料金は、搬送物の大きさに応じて設定されていることが多く、コンパクトに折り畳めるものの方が、低コストで多くの製品を搬送できるためである。
【０００４】
従来、折り畳み式の陳列棚として、本体の両側面部に縦方向の折り線を設けて、側面をその折り線から外向きに折り畳める外折り式のもの（特許文献１）や、内向きに折り畳める内折り式のもの（特許文献２）などが開発されている。
【先行技術文献】
【特許文献】
【０００５】
【特許文献１】特開平９−３０８５５５号公報
【特許文献２】実用新案登録第３１９５２０３号公報
【発明の概要】
【発明が解決しようとする課題】
【０００６】
前記特許文献１のような外折り式の陳列棚では、折り畳み時に横幅が広くなるため、持ち運びにくくなるとか、運搬コストが高くなるといった難点がある。特許文献２のような内折り式の陳列棚によれば前述のような問題は生じないが、折り畳み式の陳列棚の中には、折り畳み時に本体の内側に棚板部とスライド板が残るものがあり、内向きに折り畳んだ側面部が当該棚板部やスライド板と干渉して、コンパクトに折り畳めない場合がある。
【０００７】
本発明の解決課題は、内向きに折り畳んだ側面部が棚板部やスライド体に干渉せず、コンパクトに折り畳むことができる陳列棚を提供することにある。
【課題を解決するための手段】
【０００８】
本発明の陳列棚は、本体の対向する両側面に谷折り部と山折り部を設けることによって、本体を折り畳んだときに、その内側に棚板部やスライド体が収まる収容空間が形成されるようにしたものである。
【発明の効果】
【０００９】
本発明の陳列棚によれば、本体の内側に棚板部とスライド体又は棚板部のみが収まる収容空間が形成されるため、棚板部やスライド体があってもコンパクトに折り畳むことができ、保管や運搬が容易である。また、従来の陳列棚よりもコンパクトに折り畳めるため、持ち運びが容易であり、運搬コストを低額に抑えることができる。
【図面の簡単な説明】
【００１０】
【図１】本発明の陳列棚の一例を示すものであって、（ａ）は右前方斜視図、（ｂ）は右後方斜視図。
【図２】（ａ）〜（ｄ）は図１（ａ）（ｂ）に示す陳列棚の折り畳み手順の説明図。
【図３】（ａ）〜（ｄ）は図１（ａ）（ｂ）に示す説明図の縦断面図。
【図４】図１（ａ）（ｂ）の陳列棚の収容空間の説明図であって、（ａ）は展開状態にある陳列棚を平面から見た場合の説明図、（ｂ）は折り畳み状態にある陳列棚を平面から見た場合の説明図。
【図５】図１（ａ）（ｂ）に示す陳列棚の係止片及び係止孔の構造説明図であって、（ａ）は係止片を係止孔に差し込む前の状態を示すもの、（ｂ）は係止片を係止孔に差し込んだ状態を示すもの。
【図６】本発明の陳列棚の他例を示すものであって、（ａ）は右前方斜視図、（ｂ）は右後方斜視図。
【図７】（ａ）（ｂ）は図６（ａ）（ｂ）に示す陳列棚の折り畳み手順の説明図。
【図８】（ａ）（ｂ）は図６（ａ）（ｂ）に示す陳列棚の折り畳み手順の説明図。
【図９】（ａ）（ｂ）は図７（ａ）（ｂ）に示す説明図の縦断面図。
【図１０】（ａ）（ｂ）は図８（ａ）（ｂ）に示す説明図の縦断面図。
【図１１】図６（ａ）（ｂ）に示す陳列棚の押込み片及び押込み口の構造説明図であって、（ａ）は押込み片を押込み口に押し込む前の状態を示すもの、（ｂ）は押込み片を押込み口に押し込んだ状態を示すもの。
【図１２】本発明の陳列棚の他例を示すものであって、（ａ）は右前方斜視図、（ｂ）は（ａ）の棚板部の構造説明図。
【図１３】収容空間が本体の背面部側に形成される場合の説明図であって、（ａ）は展開状態にある陳列棚を平面から見た場合の説明図、（ｂ）は折り畳み状態にある陳列棚を平面から見た場合の説明図。
【発明を実施するための形態】
【００１１】
（実施形態１）
本発明の陳列棚の第一の実施形態を、図１（ａ）（ｂ）〜図５（ａ）（ｂ）を参照して説明する。本発明の陳列棚は、使用時には図２（ａ）に示すように展開して物品を展示することができ、不使用時には図２（ｄ）のように折り畳むことができる折り畳み式の陳列棚である。
【００１２】
一例として図１（ａ）（ｂ）に示す陳列棚は、中空状の本体１と、当該本体１の内側に配置され、上下方向にスライド可能なスライド体２を備えている。本体１は、正面部３、右側面部４、背面部５及び左側面部６を備えている。この本体１は、正面部３の一方側に右側面部４が、右側面部４の一側方に背面部５が、背面部５の一側方に左側面部６が、左側面部６の一側方に正面部３が設けられ、正面部３と背面部５が対向し、右側面部４と左側面部６が対向するようにしてある。本発明の陳列棚は、段ボールやボール紙、プラスチック段ボールのような折り曲げ可能な材料を複数枚貼りあわせて製作するものであり、各面部が一又は二以上の材料で構成される。
【００１３】
前記本体１の正面部３と右側面部４の間には右前コーナー部Ｃ１が、右側面部４と背面部５の間には右後コーナー部Ｃ２が、背面部５と左側面部６の間には左後コーナー部Ｃ３が、左側面部６と正面部３の間には左前コーナー部Ｃ４が設けられている（図４（ａ）（ｂ））。
【００１４】
前記本体１の正面部３には、本体１の内側に折り返して棚板部７となる棚板片と、棚板部７に物品を出し入れするための開口部８と、棚板部７に載せた物品の落下を防止するこぼれ止め９が設けられている。
【００１５】
図１（ａ）（ｂ）に示す三段の棚板部７のうち、上段及び中段の棚板部７は、前記棚板片を本体の内側に折り曲げることによって構成されている。図３（ａ）（ｂ）に示すように、棚板片は後方に折り曲げて形成された載せ部７ａと、当該載せ部７ａの先方側を下側に折り曲げて形成された後貼付部７ｂを備えている。後貼付部７ｂは前記スライド体２に接着剤で固定され、スライド体２を上下方向へ移動させると、この動きに連動して棚板部７が立ち上がり或いは傾倒する（物品を載せられる状態に展開する）ようにしてある。この実施形態では、スライド体２を本体１に固定したときに、棚板部７の載せ部７ａが水平又は略水平になるようにしてあるが、載せ部７ａを傾斜させたい場合（例えば、正面部３側から背面部５側に向けて下り傾斜にしたい場合等）は、後貼付部７ｂのスライド体２への固定位置を変えることで対応することができる。
【００１６】
三段の棚板部７のうち、下段の棚板部７は本体１とは別の部材で構成されている（図３（ａ）（ｂ）参照）。下段の棚板部７は、正面部３の内面側に貼付される前貼付部７ｃと、当該前貼付部７ｃの先方側を後方に折り曲げて形成された載せ部７ａと、当該載せ部７ａの先方側を下側に折り曲げて形成された後貼付部７ｂを備えている（図３（ａ）参照）。前貼付部７ｃは正面部１の内面側に、後貼付部７ｂはスライド体２に接着剤で固定され、スライド体２を上下方向へ移動させると、この動きに連動して棚板部７が立ち上がり或いは傾倒するようにしてある。なお、上段及び中段の棚板部７は、下段の棚板部７と同じ構造とすることもできる。同様に、下段の棚板部７は上段及び中段の棚板部７と同じ構造とすることもできる。
【００１７】
前記本体１の右側面部４には内向きに折り曲げ可能な谷折り部４ａ及び外向きに折り曲げ可能な山折り部４ｂが、左側面部６には内向きに折り曲げ可能な谷折り部６ａ及び外向きに折り曲げ可能な山折り部６ｂが設けられている。谷折り部４ａ、６ａは両側面部４、６の幅方向中央付近に縦向きに設けられ、両山折り部４ｂ、６ｂは両側面部４、６の幅方向正面部３寄りの位置に縦向きに設けられている。図４（ａ）（ｂ）に示すように、右側面部４に設けられた谷折り部４ａと左側面部６に設けられた谷折り部６ａは対向する位置に、右側面部４に設けられた山折り部４ｂと左側面部６に設けられた山折り部６ｂは対向する位置に設けてある。
【００１８】
右側面部４に設けられた谷折り部４ａと山折り部４ｂは平行又は略平行となるようにしてあり、左側面部６に設けられた谷折り部６ａと山折り部６ｂは平行又は略平行となるようにしてある。また、谷折り部４ａ、山折り部４ｂ、谷折り部６ａ、及び山折り部６ｂも平行又は略平行となるようにしてある。山折り部４ｂ、谷折り部６ａ、及び山折り部６ｂは平行でなくてもよいが、これらを平行にしておくことで、本体１をコンパクトに折り畳むことができる。
【００１９】
この実施形態では、右側面部４及び左側面部６を両谷折り部４ａ、６ａで谷折りし、山折り部４ｂ、６ｂで山折りすることによって、本体１の内側に収容空間が形成される。具体的には、図４に示すように、谷折り部４ａと山折り部４ｂの間の面（以下「収容空間第一面」という）Ｐ１、山折り部４ｂと右前コーナー部Ｃ１の間の面（以下「収容空間第二面」という）Ｐ２、右前コーナー部Ｃ１と左前コーナー部Ｃ４の間の面（以下「収容空間第三面」という）Ｐ３、左前コーナー部Ｃ４と山折り部６ｂの間の面（以下「収容空間第四面」という）Ｐ４、及び山折り部６ｂと谷折り部６ａの間の面（以下「収容空間第五面」という）Ｐ５の内側に収容空間が形成される。
【００２０】
前記収容空間には、本体１の折り畳み時に、棚板部７と当該棚板部７の動きに連動して正面部３側に引き寄せられるスライド体２が収まるようにしてある。
【００２１】
前記本体１の背面部５は縦長方形状の平板であり、その下端寄りの位置には、スライド体２に設けられた係止片１０（後述する）を係止可能な係止孔（本願において「背面係止孔」という）１１が設けられている。
【００２２】
前記スライド体２は縦長方形状の一枚の平板であり、その前面側には、上段及び中段の棚板部７の後貼付部７ｂ並びに下段の棚板部７の後貼付部７ｂが接着剤で固定されている。スライド体２は複数枚の平板を組み合わせたものを用いてもよい。後貼付部７ｂは接着剤以外の固定手段によってスライド体２に固定することもできる。本体１内でスライド体２を上下に移動させると、この動きに連動して棚板部７が立ち上がり或いは傾倒する。
【００２３】
図５（ａ）（ｂ）に示すように、前記スライド体２の下端中央部には長方形状の係止片１０が設けられている。係止片１０にはその長手方向に交差する方向に二本の折曲げ部１０ａ、１０ｂが設けられている。折曲げ部１０ａ、１０ｂは係止片１０の長手方向に間隔をあけて設けられている。スライド体２の下端寄りの位置には、前記係止片１０を差し込み可能な形状の係止孔（本願において「スライド体係止孔」という）１２が設けられている。スライド体係止孔１２は、スライド体２の下端を背面部５の下端に合わせたときに、当該背面部５に設けられた背面係止孔１１と重なる位置に設けられている。
【００２４】
図５（ａ）（ｂ）に示すように、係止片１０は、背面係止孔１１とスライド体係止孔１２が重なった状態で、背面部５の下側から背面部５の裏面側に折り返し、背面係止孔１１及びスライド体係止孔１２に差し込めるようにしてある。スライド体２は、係止片１０を背面係止孔１１及びスライド体係止孔１２に係止することによって本体１に固定することができる。背面部５とスライド体２の下端位置には凹陥部１３が設けられ、当該凹陥部１３に係止片１０が収まるようにしてある。
【００２５】
［陳列棚の折り畳み手順］
図２（ａ）及び図３（ａ）の展開状態にある陳列棚は、例えば、図２（ａ）〜（ｄ）、図３（ａ）〜（ｄ）及び図５（ａ）（ｂ）に示す手順で折り畳むことができる。
（１）背面係止孔１１及びスライド体係止孔１２に差し込まれた係止片１０を、当該背面係止孔１１及びスライド体係止孔１２から引き抜く（図２（ｂ）、図３（ｂ）、図５（ａ）（ｂ））。
（２）スライド体２を上方へスライドさせ、棚板部７及びスライド体２を正面部３側へ引き寄せる（図２（ｃ）、図３（ｃ））。
（３）右側面部４及び左側面部６を本体１の内側へ押し込んで本体１を折り畳み、正面部３側に引き寄せられた棚板部７及びスライド体２を収容空間に収容する（図２（ｄ）、図３（ｄ））。
【００２６】
［陳列棚の展開手順］
図２（ｄ）及び図３（ｄ）の折り畳み状態にある陳列棚は、例えば、図２（ａ）〜（ｄ）、図３（ａ）〜（ｄ）及び図５（ａ）（ｂ）に示す手順で展開することができる。
（１）正面部３及び背面部５を互いに離れる方向に移動させるとともに、谷折りされた右側面部４及び左側面部６を外側に押し広げる（図２（ａ）〜（ｃ）、図３（ａ）〜（ｃ））。
（２）スライド体２を下方へスライドさせ、背面係止孔１１とスライド体係止孔１２の位置を一致させる（図５（ａ））。
（３）スライド体２の係止片１０を背面部５の下側を通して背面部５の裏面側に折り返し、背面部５の裏面側から背面係止孔１１及びスライド体係止孔１２に差し込む（図５（ｂ））。
【００２７】
（実施形態２）
本発明の陳列棚の第二の実施形態を、図６〜図１１を参照して説明する。この実施形態の基本構成は実施形態１と同様である。異なるのは、棚板部７の構造、こぼれ止め９の有無、スライド体２の係止構造である。以下では、実施形態１と異なる部分を中心に説明し、実施形態１と共通する部分については適宜その説明を省略する。
【００２８】
この実施形態の三段の棚板部７は、いずれも正面部３を構成する正面部材の一部である棚板片で構成されている。図９（ａ）（ｂ）に示すように、棚板片は後方に折り曲げて形成された載せ部７ａと、当該載せ部７ａの先方側を下側に折り曲げて形成された後貼付部７ｂを備えている。後貼付部７ｂはスライド体２に接着剤で固定され、スライド体２を上下方向へ移動させると、この動きに連動して棚板部７が立ち上がり或いは傾倒するようにしてある。この実施形態では、スライド体２を本体１に固定したときに、棚板部７の載せ部７ａが水平又は略水平になるようにしてあるが、載せ部７ａを傾斜させたい場合（例えば、正面部３側から背面部５側に向けて下り傾斜にしたい場合等）は、後貼付部７ｂのスライド体２への固定位置を変えることで対応することができる。なお、この実施形態の陳列棚には、実施形態１のこぼれ止め９に相当するものは設けられていない。
【００２９】
前記本体１の右側面部４には内向きに折り曲げ可能な谷折り部４ａ及び外向きに折り曲げ可能な山折り部４ｂが、左側面部６には内向きに折り曲げ可能な谷折り部６ａ及び外向きに折り曲げ可能な山折り部６ｂが設けられている。谷折り部４ａ、６ａは両側面部４、６の幅方向中央付近に縦向きに設けられ、両山折り部４ｂ、６ｂは両側面部４、６の幅方向正面部３寄りの位置に縦向きに設けられている。
【００３０】
実施形態１と同様、この実施形態の陳列棚も、右側面部４及び左側面部６を両谷折り部４ａ、６ａで谷折りし、山折り部４ｂ、６ｂで山折りすることによって、中空状の本体１の内側に収容空間が形成されるようにしてある。具体的には、収容空間第一面Ｐ１、収容空間第二面Ｐ２、収容空間第三面Ｐ３、収容空間第四面Ｐ４、及び収容空間第五面Ｐ５の内側に収容空間が形成される。収容空間には、本体１の折り畳み時に、棚板部７及び棚板部７の動きに連動して正面部３側に引き寄せられるスライド体２が収まるようにしてある。
【００３１】
図６（ａ）（ｂ）及び図１１（ａ）（ｂ）に示すように、右後コーナー部Ｃ２の下方及び左後コーナー部Ｃ３の下方には、スライド体２を固定するための押込み片１４が設けられている。背面部５と右側面部４の間の押込み片（本願において「右押込み片」という）１４ａは、背面部５と右側面部４に連続して切り込まれた二本の平行な水平切込み線によって構成されている。同様に、背面部５と左側面部６の間の押込み片（本願において「左押込み片」という）１４ｂは、背面部５と左側面部６に連続して切り込まれた二本の平行な水平切込み線によって構成されている。右押込み片１４ａと左押込み片１４ｂには、縦向きの折曲げ部１４ｘが設けられ、当該折曲げ部１４ｘで直角に曲げられるようにしてある。
【００３２】
実施形態１と同様、本体１の内側には、上下方向にスライド可能なスライド体２が設けられている。スライド体２は縦長方形状の平板であり、その前面側には、棚板部７の後貼付部７ｂが接着剤で固定されている。後貼付部７ｂは接着剤以外の固定手段によって、スライド体２に固定することもできる。
【００３３】
前記スライド体２の幅方向両外側であって下端寄りの位置には、押込み片１４を押込み可能な大きさ及び形状の押込み口１５が設けられている。押込み口１５は、両押込み片１４に対応する位置、具体的には、スライド体２の下端を背面部５の下端に合わせたときに、右側面部４側の押込み口（本願において「右押込み口」という）１５ａに右押込み片１４ａを押し込み可能であり、左側面部６側の押込み口（本願において「左押込み口」という）１５ｂに左押込み片１４ｂを押し込み可能な位置に設けられている。
【００３４】
スライド体２の下端を背面部５の下端に合わせた状態で、右押込み片１４ａを右押込み口１５ａに押し込み、左押込み片１４ｂを左押込み口１５ｂに押し込むことによって、スライド体２を本体１に固定することができる。
【００３５】
［陳列棚の折り畳み手順］
図７（ａ）及び図９（ａ）の展開状態にある陳列棚は、例えば、図７（ａ）（ｂ）〜図１１（ａ）（ｂ）に示す手順で折り畳むことができる。
（１）右押込み片１４ａ及び左押込み片１４ｂを外側へ押し出し、右押込み口１５ａ及び左押込み口１５ｂから外す（図７（ｂ）、図１１（ａ）（ｂ））。
（２）スライド体２を上方へスライドさせ（図７（ｂ）、図９（ｂ））、棚板部７及びスライド体２を正面部３側へ引き寄せる（図８（ａ）、図１０（ａ））。
（３）右側面部４及び左側面部６を本体１の内側へ押し込んで本体１を折り畳み、正面部３側に引き寄せられた棚板部７及びスライド体２を収容空間に収容する（図８（ｂ）、図１０（ｂ））。
【００３６】
［陳列棚の展開手順］
図８（ｂ）及び図１０（ｂ）の折り畳み状態にある陳列棚は、例えば、図７（ａ）（ｂ）〜図１１（ａ）（ｂ）に示す手順で展開することができる。
（１）正面部３及び背面部５を互いに離れる方向に移動させるとともに、谷折りされた右側面部４及び左側面部６を外側に押し広げ、本体１を広げる（図８（ａ）、図１０（ａ））。
（２）スライド体２を下方へスライドさせ（図７（ｂ）、図９（ｂ））、右押込み片１４ａと右押込み口１５ａの位置及び左押込み片１４ｂと左押込み口１５ｂの位置を一致させる。
（３）右押込み片１４ａを右押込み口１５ａに、左押込み片１４ｂを左押込み口１５ｂに押し込み、スライド体２を本体１に固定する（図７（ａ）、図１１（ａ））。
【００３７】
（その他の実施形態）
前記実施形態１及び２では、棚板部７がスライド体２に固定され、スライド体２の上下動に連動してすべての棚板部７が動くように構成された場合を一例として説明しているが、陳列棚はスライド体２のないものであってもよい。この場合、図１２（ａ）（ｂ）に示すように、本体１の背面部５に棚板係止孔１６を設け、その棚板係止孔１６に棚板部７の一部（棚板係止片１７）を係止して棚板部７を固定できるようにすることができる。
【００３８】
前記実施形態１及び２では、本体１が正面部３、右側面部４、背面部５及び左側面部６を備えた四角筒状の場合を一例としているが、本体１の形状は、谷折り部４ａ、６ａを谷折りし、山折り部４ｂ、６ｂを山折りすることによって、本体１の内側に収容空間が形成される形状であれば、四角筒状以外であってもよい。
【００３９】
前記実施形態１及び２では、谷折り部４ａ、６ａと山折り部４ｂ、６ｂが、それぞれの側面部４、６の上端から下端に到達する直線状である場合を一例としているが、谷折り部４ａ、６ａと山折り部４ｂ、６ｂは途中が途切れた（不連続の）直線状とすることもできる。また、谷折り部４ａ、６ａ及び山折り部４ｂ、６ｂは一本の直線である必要はなく、複数本の直線で構成することもできる。本願における谷折り部４ａ、６ａはその本数や形状にかかわらず、側面部４、６を谷折りするために形成された部分のことを意味する。同様に、山折り部４ｂ、６ｂもその本数や形状にかかわらず、側面部４、６を山折りするために形成された部分のことを意味する。
【００４０】
前記実施形態１及び２では説明を省略しているが、本発明の陳列棚は、図示しない台座に載せられる構造としたり、本体１の一部（例えば、本体の上方部分）に図示しない広告パネルを装着できるような構造としたりすることもできる。なお、図１〜図１２に示す例では、右後コーナー部Ｃ２と左後コーナー部Ｃ３の上部に縦長の切込み部１８が形成してあり、広告パネルをセットできるようにしてある。
【００４１】
前記実施形態１及び２では、棚板部７が三段の場合を一例としているが、棚板部７は三段より多くても少なくてもよい。
【００４２】
前記実施形態１及び２では、本体１の正面部３側に収容空間が形成される場合を一例としているが、収容空間は本体１の背面部５側に形成することもできる。具体的には、図１３に示すように、右側面部４の谷折り部４ａと山折り部４ｂの間の面（以下「収容空間第一面」という）Ｑ１、右側面部４の山折り部４ｂと右後コーナー部Ｃ２の間の面（以下「収容空間第二面」という）Ｑ２、右後コーナー部Ｃ２と左後コーナー部Ｃ３の間の面（以下「収容空間第三面」という）Ｑ３、左後コーナー部Ｃ３と左側面部６の山折り部６ｂの間の面（以下「収容空間第四面」という）Ｑ４、及び左側面部６の山折り部６ｂと谷折り部６ａの間の面（以下「収容空間第五面」という）Ｑ５の内側に形成することができる。この場合、谷折り部４ａ、６ａは、実施形態１及び２と同様、右側面部４又は左側面部６の幅方向中央寄りの位置に縦向きに設ければよく、両山折り部４ｂ、６ｂは、両側面部４、６の幅方向背面部５寄りの位置に縦向きに設ければよい。
【００４３】
なお、収容空間を本体１の背面部５側に形成する場合、スライド体２が正面部１側に配置される点、棚板部７として載せ部７ａ、後貼付部７ｂ及び前貼付部７ｃを備えた棚板部７を用いる点、棚板部７の前貼付部７ｃをスライド体２に固定する点、スライド体２に本体１の開口部８と連通する開口を設ける点など、実施形態１及び２とは異なる構成が必要となる。
【産業上の利用可能性】
【００４４】
本発明の陳列棚の構造は、段ボールやボール紙、プラスチック段ボールなどで製造される他の折り畳み式構造物にも応用することができる。
【符号の説明】
【００４５】
１      本体
２      スライド体
３      正面部
４      右側面部
４ａ    谷折り部
４ｂ    山折り部
５      背面部
６      左側面部
６ａ    谷折り部
６ｂ    山折り部
７      棚板部
７ａ    載せ部
７ｂ    後貼付部
７ｃ    前貼付部
８      開口部
９      こぼれ止め
１０    係止片
１０ａ、１０ｂ  折曲げ部
１１    背面係止孔
１２    スライド体係止孔
１３    凹陥部
１４    押込み片
１４ａ  右押し込み片
１４ｂ  左押し込み片
１４ｘ  折曲げ部
１５    押込み口
１５ａ  右押込み口
１５ｂ  左押込み口
１６    棚板係止孔
１７    棚板係止片
１８    切込み部
Ｃ１    右前コーナー部
Ｃ２    右後コーナー部
Ｃ３    左後コーナー部
Ｃ４    左前コーナー部
Ｐ１    収容空間第一面
Ｐ２    収容空間第二面
Ｐ３    収容空間第三面
Ｐ４    収容空間第四面
Ｐ５    収容空間第五面
Ｑ１    収容空間第一面
Ｑ２    収容空間第二面
Ｑ３    収容空間第三面
Ｑ４    収容空間第四面
Ｑ５    収容空間第五面
【図１】
2018186898.tif 000003
【図２】
2018186898.tif 000004
【図３】
2018186898.tif 000005
【図４】
2018186898.tif 000006
【図５】
2018186898.tif 000007
【図６】
2018186898.tif 000008
【図７】
2018186898.tif 000009
【図８】
2018186898.tif 000010
【図９】
2018186898.tif 000011
【図１０】
2018186898.tif 000012
【図１１】
2018186898.tif 000013
【図１２】
2018186898.tif 000014
【図１３】
2018186898.tif 000015